(57)【要約】  【課題】バーチャルリアリティ画面に表示されるコンテンツの便利な制御方法を提供する。  【解決手段】本願発明では、表示制御方法、システム及びバーチャルリアリティデバィスを提供する。上記方法では、近距離無線通信タグを検出すると、上記近距離無線通信タグに予め記憶されている、制御タイプと表示対象とを含む制御情報を取得することと、上記制御タイプに基づき、上記表示対象に対して対応する操作を行うことと、を含む。本願発明を用いると、バーチャルリアリティ画面に表示されるコンテンツを容易に制御できる。  【選択図】図1
2019533844.tif 000002
【特許請求の範囲】
【請求項１】
表示制御方法であって、
近距離無線通信タグを検出すると、前記近距離無線通信タグに予め記憶されている、制御タイプと表示対象とを含む制御情報を取得することと、
前記制御タイプに基づき、前記表示対象に対して対応する操作を行うことと、を含むことを特徴とする表示制御方法。
【請求項２】
前記制御タイプは、切り替わり制御で、前記表示対象は、切り替わり先のバーチャルリアリティシーンの識別情報であり、
前記制御タイプに基づき、前記表示対象に対して対応する操作を行うことは、
前記バーチャルリアリティシーンの識別情報に対応するバーチャルリアリティシーンに切り替わって表示することを含むことを特徴とする請求項１に記載の表示制御方法。
【請求項３】
前記制御タイプは、デフォルトの表示コンテンツの設定制御で、前記表示対象は、デフォルトの表示コンテンツとして設定される表示コンテンツの識別情報であり、
前記制御タイプに基づき、前記表示対象に対して対応する操作を行うことは、
前記表示コンテンツの識別情報を予め設定されたデフォルト表示コンテンツ属性に代入することで、前記表示コンテンツの識別情報に対応する表示コンテンツをデフォルトの表示コンテンツとすることを特徴とする請求項１または請求項２に記載の表示制御方法。
【請求項４】
前記表示コンテンツの識別情報を予め設定されたデフォルト表示コンテンツ属性に代入することは、
前記デフォルトの表示コンテンツの設定制御のタイプに基づき、目的属性を確定することと、
前記表示コンテンツの識別情報が前記目的属性に対応している場合、前記表示コンテンツの識別情報を前記目的属性に代入することと、を含み、
前記目的属性は、複数の予め設定されたデフォルト表示コンテンツ属性のうちの１つであることを特徴とする請求項３に記載の表示制御方法。
【請求項５】
前記デフォルトの表示コンテンツの設定制御のタイプは、デフォルトの表示シーンの設定制御、及びデフォルトで表示されるアプリケーションプログラムの設定制御を含むことを特徴とする請求項４に記載の表示制御方法。
【請求項６】
ユーザがタグ書き込み画面に入力する前記制御情報を取得することと、
前記制御情報を前記近距離無線通信タグに書き込むことと、を含むことを特徴とする請求項１ないし請求項５のいずれか一項に記載の表示制御方法。
【請求項７】
ユーザがタグ書き込み画面に入力する前記制御情報を取得することは、
前記タグ書き込み画面において、制御タイプ選択リスト及び表示対象選択リストを表示することと、
ユーザが前記制御タイプ選択リストから前記制御タイプを選択し、そして前記表示対象リストから前記表示対象を選択する場合、前記制御タイプに対応する制御情報パッケージ形態に基づき、前記制御タイプと前記表示対象とをパッケージすることで、前記制御情報を得ることと、を含むことを特徴とする請求項６に記載の表示制御方法。
【請求項８】
ユーザからの書き込み指令の送信を待ち、書き込み指令を受信すると、前記近距離無線通信タグへの前記制御情報の書き込みを実行することを含むことを特徴とする請求項６または請求項７に記載の表示制御方法。
【請求項９】
バーチャルリアリティデバィスであって、
処理装置と、記憶装置と、近距離無線通信リーダライタと、を含み、
前記処理装置が、前記記憶装置と、前記近距離無線通信リーダライタとそれぞれ接続され、
前記近距離無線通信リーダライタは、近距離無線通信タグに予め記憶されている制御情報を読み取り、且つ前記制御情報を前記処理装置に送信し、
前記記憶装置は、前記処理装置により実行されるとき、請求項１ないし請求項８のいずれの一項に記載の表示制御方法を実現するための１つまたは複数のコンピュータ指令を記憶することを特徴とするバーチャルリアリティデバィス。
【請求項１０】
表示制御システムであって、
近距離無線通信タグと、請求項９に記載のバーチャルリアリティデバィスとを含むことを特徴とする表示制御システム。
【発明の詳細な説明】
【技術分野】
【０００１】
「関連出願の相互参照」
本願発明は、２０１７年９月２７日に提出した「表示制御方法、システム及びバーチャルリアリティデバィス」と題する中国特許出願（出願番号２０１７１０８９０２０９３）の優先権を主張し、その全体内容をここに援用する。
【０００２】
本願発明は、バーチャルリアリティ技術分野に関し、詳しく言えば、表示制御方法、システム及びバーチャルリアリティデバィスに関する。
【背景技術】
【０００３】
デジタル情報時代の到来に伴い、バーチャルリアリティ技術は、各分野で幅広く用いられるようになる。利用者は、バーチャルリアリティ技術を用いて仮想のシーンを視聴することができる。例えば、不動産販売分野では、仮想のシーンを通じて物件の間取りを確認し、また教育分野では、バーチャルリアリティ技術を用いて授業を行う。利用する過程では、表示されるシーンを選択したりするなど、表示コンテンツについて制御する必要がある。
【発明の概要】
【発明が解決しようとする課題】
【０００４】
システムの設計の違いにより、表示コンテンツの制御に対応する操作は様々であるため、利用者はどのような操作をすれば制御を実現できるのかを知らないことが多い。また、不適切な操作をすると、デバィスの無駄な動作を引き起こし、消費電力が増加する恐れがある。
【０００５】
本願発明は、上記の実情に鑑みてなされるもので、バーチャルリアリティ画面に表示されるコンテンツの便利な制御を実現するために、複数の態様で、表示制御方法、システム及びバーチャルリアリティデバィスを提供するものである。
【課題を解決するための手段】
【０００６】
本願発明の実施例の第１の態様として、表示制御方法を提供する。前記方法は、
近距離無線通信タグを検出すると、前記近距離無線通信タグに予め記憶されている、制御タイプと表示対象とを含む制御情報を取得することと、
前記制御タイプに基づき、前記表示対象に対して対応する操作を行うことと、を含む。
【０００７】
本願発明の実施例の第２の態様として、バーチャルリアリティデバィスを提供する。前記デバィスは、
処理装置と、記憶装置と、近距離無線通信リーダライタとを含み、
前記処理装置が、前記記憶装置と、前記近距離無線通信リーダライタとそれぞれ接続され、
前記近距離無線通信リーダライタは、近距離無線通信タグに予め記憶されている制御情報を読み取り、且つ前記制御情報を前記処理装置に送信し、
前記記憶装置は、前記処理装置により実行されるとき、本願発明に係る表示制御方法を実現するための１つまたは複数のコンピュータ指令を記憶する。
【０００８】
本願発明の実施例の第３の態様として、表示制御システムを提供する。前記システムは、近距離無線通信タグと、本願発明の実施例に係るバーチャルリアリティデバィスとを含む。
【発明の効果】
【０００９】
本願発明の実施例に係る表示制御方法、システム及びバーチャルリアリティデバィスは、近距離無線通信タグを用いて制御情報を記憶し、利用者のバーチャルリアリティデバィスを制御して特定のコンテンツを表示させるとき、操作者は対応する近距離無線通信タグをＶＲデバィスに近づけると、ＶＲデバィスが近距離無線通信タグにおける制御情報を読み取り、適切な応答を行うことができる。このため、利用者がどのように操作すればよいのかを知らない場合でも、バーチャルリアリティ画面に表示されるコンテンツについて容易に制御することができる。
【図面の簡単な説明】
【００１０】
ここに記載されている図面は、本発明の理解を深めるためのもので、本発明を構成する。次に示す例示的な実施例及びそれに関する説明は、本発明を理解させるためのものに過ぎず、限定を加えるものではない。
【図１】本願発明の一実施形態に係る表示制御方法の一例を示すフローチャートである。
【図２】本願発明の一実施形態に係る表示制御方法の他の例を示すのフローチャート
【図３】本願発明の一実施形態に係る表示制御方法のさらに他の例を示すフローチャートである。
【図４】本願発明の一実施例に係る表示制御方法のさらに他の例を示すフローチャートである。
【図５】本願発明の一実施形態に係る表示制御装置の構造を示す概略図である。
【図６】本願発明の一実施形態に係るバーチャルリアリティデバィスの構造を示す概略図である。
【発明を実施するための形態】
【００１１】
本願発明の実施例の目的、技術的解決手段及び利点をより明瞭にするために、本項では、実施例及び関連図面を参照しながら、本願発明の技術的解決手段を明瞭かつ完全に説明する。なお、記載されているのは本願発明の実施例の全てではなく、その一部に過ぎない。当業者がこれらの実施例を踏まえ、進歩性のある作業をすることなく得ているその他の全ての実施例は、いずれも本願発明の保護範囲に含まれるものとする。
【００１２】
本願発明の実施例に係る表示制御方法は、バーチャルリアリティデバィスに用いる。当該バーチャルリアリティデバィスは、単眼ヘッドマウントメガネ、両眼ヘッドマウントメガネなどの形態のバーチャルリアリティ製品を含んでもよい。具体的には、本願発明の実施例に係る表示制御方法は、表示制御装置に用いる。当該装置は、表示制御専用アプリケーションソフトウェア、またはオペレーティングシステム、アプリケーションプログラムなどの関連プログラムを制御する機能プラグインであってもよい。
【００１３】
図１に示すように、本願発明の実施例は、表示制御方法を提供する。以下のステップを含む。
【００１４】
ステップＳ１０１：近距離無線通信タグを検出すると、前記近距離無線通信タグに予め記憶されている、制御タイプと表示対象とを含む制御情報を取得する。
【００１５】
近距離無線通信（Ｎｅａｒ  Ｆｉｅｌｄ  Ｃｏｍｍｕｎｉｃａｔｉｏｎ、ＮＦＣと略称する）は近距離の無線通信を実現するための技術で、通信双方の距離が所定範囲にあると、無線通信を行うことができる。本願発明の実施例では、伝送したいコンテンツを通信双方の一方に予め書き込んでおく。通信双方の距離が一定の範囲にあると、他方は伝送されるコンテンツを読み取ることで通信を実現する。
【００１６】
本願発明の実施例における通信双方は、例えば、近距離無線通信タグ及びバーチャルリアリティデバィスとすることで、近距離無線通信タグを介してバーチャルリアリティデバィスに表示されるコンテンツを制御することを実現できる。制御情報を近距離無線通信タグに予め書き込んでおき、近距離無線通信タグがバーチャルリアリティデバィスに近づくと、バーチャルリアリティデバィスが近距離無線通信タグを検出し、そして上記コンテンツを読み取り、近距離無線通信タグとの通信を実現する。
【００１７】
具体的には、バーチャルリアリティデバィスは、近距離無線通信タグに予め書き込まれている制御情報を読み取り、そして前記制御情報に基づき、表示制御を行う。当該制御情報は、制御タイプ及び表示対象を含むがこれらだけに限定されない。バーチャルリアリティデバィスは、制御タイプから、どのような操作を行うべきかを知ることができる。制御タイプは、表示輝度の調整、表示コンテンツの切り替わり、デフォルトパラメータの設定などを含んでもよい。例えば、制御タイプが輝度の調整である場合、バーチャルリアリティデバィスが表示輝度の調整という制御タイプを受信するとき、表示輝度の調整の操作を行うべきことを知る。
【００１８】
制御タイプに対応して表示対象は、表示輝度値、表示されるコンテンツ、設定されるパラメータの目的値などであってもよい。例えば、バーチャルリアリティデバィスが制御タイプは表示輝度の調整、そして表示輝度値は９０％ということを知ると、バーチャルリアリティデバィスが表示輝度値を９０％に調整する。
【００１９】
ステップＳ１０２：制御タイプに基づき、表示対象に対して対応する操作を行う。
【００２０】
制御タイプに基づき、どのタイプの操作を行うべきか、そして操作を行うべき表示対象を知ると、制御タイプに基づき、表示対象に対して対応する操作を行うことができる。
【００２１】
例えば、表示輝度値を９０％に調整する。
【００２２】
本願発明の実施例では、バーチャルリアリティデバィスの操作者が近くに配置した近距離無線通信タグに予め書き込まれている制御情報を読み取り、且つ制御情報に基づき、表示コンテンツを制御する。バーチャルリアリティシーンの利用者は、どのように操作すればよいのかを知らない場合でも、バーチャルリアリティ画面に表示されるコンテンツを容易に制御できる。
【００２３】
実際に利用するとき、ユーザは、バーチャルリアリティデバィスに表示されるシーンを切り替える必要がある場合がある。例えば、利用者が不動産屋で物件の間取りを確認する場合には、バーチャルリアリティデバィスを通じて間取りＡを確認した後、また間取りＢを確認したい場合、間取りＡに対応する仮想シーンを間取りＢに対応する仮想シーンに切り替える必要がある。また例えば、利用者が遊園地の各種アトラクションを利用する場合には、１つのアトラクションを遊んだ後、また別のアトラクションを遊びたいなら、１つ目のアトラクションに対応する仮想シーンを当該アトラクションに対応する仮想シーンに切り替える必要がある。上記のことを実現するために、本願発明の実施例では、制御タイプを切り替わり制御とし、表示対象を切り替わり先のバーチャルリアリティシーンの識別情報とする。図２に示すように、本願発明の実施例は、以下のステップを含む。
【００２４】
ステップＳ２０１：近距離無線通信タグを検出すると、前記近距離無線通信タグに予め記憶されている、制御タイプと表示対象とを含む制御情報を取得する。
【００２５】
本願発明の実施例では、制御タイプが切り替わり制御である。場合によっては、制御タイプをｇｕｉｄｅとしてもよい。表示対象が切り替わり先のバーチャルリアリティシーンの識別情報で、表示対象は、ｃｏｍ．ａｎｄｒｏｉｄ．ｖｒ．ｔｅｓｔ：Ａ、すなわち、アプリケーションプログラムｃｏｍ．ａｎｄｒｏｉｄ．ｖｒ．ｔｅｓｔにおけるシーンＡで表すことができる。そして制御情報がｇｕｉｄｅ：ｃｏｍ．ａｎｄｒｏｉｄ．ｖｒ．ｔｅｓｔ：Ａとなり、アプリケーション層において当該情報は、名称がｃｏｍ．ａｎｄｒｏｉｄ．ｖｒ．ｔｅｓｔのアプリケーションにおけるシーンＡに切り替えるということを意味する。
【００２６】
ステップＳ２０２：表示バーチャルリアリティシーンの識別情報に対応するバーチャルリアリティシーンに切り替える。
【００２７】
バーチャルリアリティシーンの識別情報が、バーチャルリアリティシーンの名称であってもよい。
【００２８】
実際に利用するとき、利用者が１つの物件の間取りＡを確認した後、また間取りＢを確認したい場合、操作者が間取りＢに対応する「間取りＢに対応する仮想シーンに切り替える」という情報が書き込まれている近距離無線通信タグをバーチャルリアリティデバィスに近づけ、そしてバーチャルリアリティデバィスが上記情報を読み取ることで、当該情報に対応する制御操作、すなわち、間取りＢへのシーンの切り替えを実現する。
【００２９】
実際に利用するとき、ユーザはデフォルトの表示コンテンツを制御し、例えば、起動画面を設定し、あるいは起動後のデフォルトシーンを設定する必要がある。このため、場合によっては、別の実施例では、制御タイプをデフォルトの表示コンテンツの設定制御とし、表示対象をデフォルトの表示コンテンツとして設定される表示コンテンツの識別情報とすることもできる。
【００３０】
図３に示すように、本願発明の実施例は、以下のステップを含む。
【００３１】
ステップＳ３０１：近距離無線通信タグを検出すると、前記近距離無線通信タグに予め記憶されている、制御タイプと表示対象とを含む制御情報を取得する。
【００３２】
本願発明の実施例では、制御タイプがデフォルトの表示コンテンツの設定制御で、表示対象がデフォルトの表示コンテンツとして設定される表示コンテンツの識別情報である。そして表示コンテンツの識別情報は、表示コンテンツの名称であってもよい。例えば、デフォルトの表示シーンについて設定制御を行う必要がある場合、制御タイプをｄｅｆａｕｌｔ＿ｇｕｉｄｅとし、表示対象をｃｏｍ．ａｎｄｒｏｉｄ．ｖｒ．ｔｅｓｔ：Ａとしてもよい。そして制御情報は、ｄｅｆａｕｌｔ＿ｇｕｉｄｅ：ｃｏｍ．ａｎｄｒｏｉｄ．ｖｒ．ｔｅｓｔ：Ａとなる。アプリケーション層において当該情報は、名称がｃｏｍ．ａｎｄｒｏｉｄ．ｖｒ．ｔｅｓｔのアプリケーションにおけるシーンＡをデフォルトシーンとして設定するということを意味する。
【００３３】
また例えば、デフォルトで表示されるアプリケーションプログラムについて設定制御を行う必要がある場合、制御タイプをｄｅｆａｕｌｔ＿ａｐｐとし、表示対象をｃｏｍ．ａｎｄｒｏｉｄ．ｖｒ．ｔｅｓｔとしてもよい。そして制御情報は、ｄｅｆａｕｌｔ＿ａｐｐ：ｃｏｍ．ａｎｄｒｏｉｄ．ｖｒ．ｔｅｓｔとなる。アプリケーション層において当該情報は、名称がｃｏｍ．ａｎｄｒｏｉｄ．ｖｒ．ｔｅｓｔのアプリケーションプログラムをデフォルトのプログラムとして設定するということを意味する。
【００３４】
ステップＳ３０２：表示コンテンツの識別情報を予め設定されたデフォルト表示コンテンツ属性に代入することで、表示コンテンツの識別情報に対応する表示コンテンツをデフォルトの表示コンテンツとする。
【００３５】
場合によっては、表示コンテンツの識別情報を予め設定されたデフォルト表示コンテンツ属性に代入することは、次の方式により実現してもよい。デフォルトの表示コンテンツの設定制御のタイプに基づき、目的属性を確定する。目的属性は、予め設定された様々なデフォルト表示コンテンツ属性のうちの１つである。表示コンテンツの識別情報が目的属性と対応している場合、表示コンテンツの識別情報を目的属性に代入する。例えば、デフォルトの表示コンテンツの設定制御がｄｅｆａｕｌｔ＿ｇｕｉｄｅである場合、デフォルトシーンという属性に代入することが確定される。デフォルトの表示コンテンツの設定制御がｄｅｆａｕｌｔ＿ａｐｐである場合、デフォルトのアプリケーションプログラムという属性に代入することが確定される。実際に利用するとき、制御情報を誤って設定すると、表示コンテンツの識別情報が確定された目的属性と対応しない。
デフォルトの表示コンテンツの設定制御のタイプがデフォルトの表示シーンの設定制御であるが、表示コンテンツの識別情報がアプリケーションプログラムの識別情報である場合、あるいはデフォルトの表示コンテンツの設定制御のタイプがデフォルトで表示されるアプリケーションプログラムの設定制御であるが、表示コンテンツの識別情報がアプリケーションシーンの識別情報である場合などである。したがって、表示コンテンツの識別情報と目的属性は対応しているか否かを検出し、対応していなければ、正しい表示コンテンツの識別情報を目的属性に代入する必要がある。
【００３６】
なお、デフォルトの表示コンテンツの設定制御のタイプは、デフォルトの表示シーンの設定制御、デフォルトで表示されるアプリケーションプログラムの設定制御を含みこれらだけに限定されない。
【００３７】
また、上記の実施例では、受信された制御情報は、近距離無線通信タグに予め書き込まれていることが自明なことである。一実施例として、制御情報を以下の方式により近距離無線通信タグに書き込んでもよい。ユーザがタグ書き込み画面に入力する制御情報を取得し、制御情報を近距離無線通信タグに書き込む。入力方式は、キーボード入力、音声入力などであってもよい。入力される制御情報を取得した後、近距離無線通信タグを検出しており、且つユーザからの書き込み指令を受信する場合、制御情報を近距離無線通信タグに書き込む。実際に利用するとき、ユーザが制御情報を入力するときには、手が滑ったりするなどのため、入力される制御情報が本来入力したい制御情報ではない可能性がある。このような状況に備えて、本願発明の実施例では、制御情報を近距離無線通信タグに書き込む前に、ユーザからの書き込み指令の送信を待ち、書き込み指令を受信すると、制御情報を近距離無線通信タグに書き込むとすることにより、書き込まれる制御情報の正確性を確保する。
【００３８】
具体的には、図４に示すように、本願発明の実施例は以下のステップを含むことができる。
【００３９】
ステップＳ４０１：タグ書き込み画面において、制御タイプ選択リスト及び表示対象選択リストを表示する。
【００４０】
具体的には、制御タイプ選択リストには複数の制御タイプが含まれる。まず、制御タイプ選択リストから１つの制御タイプを選択し、次に当該制御タイプに基づき、当該タイプで制御可能な表示対象を確定し、そして表示対象選択リストを表示してユーザに選択させてもよい。例えば、ユーザの選択する制御タイプがデフォルトの表示シーンの設定制御である場合、表示対象選択リストで全ての利用可能なシーンを表示する。ユーザの選択する制御タイプがデフォルトで表示されるアプリケーションプログラムの設定制御である場合、表示対象選択リストで全ての利用可能なアプリケーションプログラムを表示する。
【００４１】
ステップＳ４０２：ユーザが制御タイプ選択リストから制御タイプを選択し、そして表示対象リストから表示対象を選択する場合、制御タイプに対応する制御情報パッケージ形態に基づき、制御タイプと表示対象とをパッケージすることで、制御情報を得る。
【００４２】
また、制御タイプ及び表示対象を選択した後、これらは２つの部分からなる文字列としてディスプレイに表示されており、バーチャルリアリティデバィスによる認識が不可能である。したがって、特定の制御情報パッケージ形態に基づき、上記の制御タイプと表示対象とをバーチャルリアリティデバィスの認識可能な機械語に変換する必要がある。こうして、バーチャルリアリティデバィスは、その内容を認識して表示コンテンツの切り替えを行うことができる。
【００４３】
ステップＳ４０３：前記制御情報を近距離無線通信タグに書き込む。
【００４４】
本実施例では、ユーザは、選択の形で制御情報を近距離無線通信タグに予め書き込み、そして近距離無線通信を実現する。入力時は、キーボードで１文字ずつ入力するのではなく、リストから選択するため、本実施例は、表示コンテンツを容易に制御できるだけでなく、制御情報の入力の正確性を高めることができる。
【００４５】
前記方法に関する実施例に対応して、図５に示すように、本願発明の実施例はさらに、第１の取得モジュールと、処理モジュールとを含む表示制御装置を提供する。
【００４６】
第１の取得モジュール５１０は、近距離無線通信タグを検出すると、前記近距離無線通信タグに予め記憶されている、制御タイプと表示対象とを含む制御情報を取得する。
【００４７】
処理モジュール５２０は、前記制御タイプに基づき、前記表示対象に対して対応する操作を行う。
【００４８】
本願発明の実施例では、バーチャルリアリティデバィスの操作者が近くに配置した近距離無線通信タグに予め書き込まれている制御情報を読み取り、且つ制御情報に基づき、表示コンテンツを制御する。バーチャルリアリティシーンの利用者は、どのように操作すればよいのかを知らない場合でも、バーチャルリアリティ画面に表示されるコンテンツを容易に制御できる。
【００４９】
前記制御タイプを切り替わり制御とし、前記表示対象を切り替わり先のバーチャルリアリティシーンの識別情報とすることもできる。
【００５０】
処理モジュール５２０は、具体的には、前記バーチャルリアリティシーンの識別情報に対応するバーチャルリアリティシーンに切り替わって表示する。
【００５１】
前記制御タイプをデフォルトの表示コンテンツの設定制御とし、前記表示対象をデフォルトの表示コンテンツとして設定される表示コンテンツの識別情報とすることもできる。
【００５２】
処理モジュール５２０は、具体的には、前記表示コンテンツの識別情報を予め設定されたデフォルト表示コンテンツ属性に代入することで、前記表示コンテンツの識別情報に対応する表示コンテンツをデフォルトの表示コンテンツとする。
【００５３】
前記装置はさらに、第２の取得モジュール５３０と、書き込みモジュール５４０とを含んでもよい。
【００５４】
第２の取得モジュール５３０は、ユーザのタグ書き込み画面に入力する前記制御情報を取得する。
【００５５】
書き込みモジュール５４０は、前記制御情報を前記近距離無線通信タグに書き込む。
【００５６】
第２の取得モジュール５３０は、表示サブモジュール５３１と、パッケージモジュール５３２とを含んでもよい。
【００５７】
表示サブモジュール５３１は、前記タグ書き込み画面において、制御タイプ選択リスト及び表示対象選択リストを表示する。
【００５８】
パッケージサブモジュール５３２は、ユーザが前記制御タイプ選択リストから前記制御タイプを選択し、そして前記表示対象リストから前記表示対象を選択する場合、前記制御タイプに対応する制御情報パッケージ形態に基づき、前記制御タイプと前記表示対象とをパッケージすることで、前記制御情報を得る。
【００５９】
本願発明の実施例はさらに、近距離無線通信タグと、本願発明の実施例に係るバーチャルリアリティデバィスとを含む表示制御システムを提供する。
【００６０】
なお、装置／システムに関する実施例は、基本的に方法に関する実施例に基づくものであるため、簡単に説明している。関連箇所は、方法に関する実施例についての説明を参照すればよい。
【００６１】
図６に示すように、本願発明の実施例はさらに、処理装置６１０と、記憶装置６２０と、近距離無線通信リーダライタ６３０とを含むバーチャルリアリティデバィスを提供する。
【００６２】
処理装置６１０が、記憶装置６２０と、近距離無線通信リーダライタ６３０のそれぞれに接続される。
【００６３】
近距離無線通信リーダライタ６３０は、近距離無線通信タグに予め記憶されている制御情報を読み取り、且つ前記制御情報を処理装置６１０送信する。
【００６４】
記憶装置６２０は、処理装置６１０により実行されるとき、本願発明の実施例に係る表示制御方法を実現する１つまたは複数のコンピュータ指令を記憶する。
【００６５】
当業者にとって、本願発明の実施例は方法、システム、またはコンピュータプログラム製品として提供できることは自明である。このため、本願発明は、完全にハードウェアからなる実施例、完全にソフトウェアからなる実施例、またはソフトウェアとハードウェアとを組み合わせる実施例という形態を採用できる。なお、本願発明は、コンピュータにおいて動作可能なプログラムコードを含む１つまたは複数のコンピュータ用記憶媒体（磁気ディスク、ＣＤ−ＲＯＭ、光学的記憶装置などを含みこれらだけに限定されない）において実行されるコンピュータプログラム製品の形態を採用してもよい。
【００６６】
本願発明は、本願発明の実施例に係る方法、デバィス（システム）、及びコンピュータプログラム製品のフローチャート及び／またはブロック図を参照しながら説明している。コンピュータプログラム指令により、フローチャート及び／またはブロック図における各プロセス及び／またはブロック、ならびにフローチャート及び／またはブロック図におけるプロセス及び／またはブロックの組み合わせを実現することは自明である。これらのコンピュータプログラム指令を汎用コンピュータ、専用コンピュータ、組み込みプロセッサまたはその他のプログラマブルなデータ処理デバィスのプロセッサに設けて機器を生成することで、コンピュータまたはその他のプログラマブルなデータ処理デバィスのプロセッサにより実行される指令により、フローチャートにおける１つまたは複数のプロセス、及び／またはブロック図における１つまたは複数のブロックにて指定される機能を実現ための装置を生成することができる。
【００６７】
これらのコンピュータプログラム指令は、コンピュータまたはその他のプログラマブルなデータ処理デバィスをガイドして特定の方式で動作させるコンピュータ読み取り可能な記憶装置に記憶されたりすることで、当該コンピュータ読み取り可能な記憶装置に記憶されている指令が指令装置を含む製品を生成することができる。当該指令装置は、フローチャートにおける１つまたは複数のプロセス及び／またはブロック図における１つまたは複数のブロックにて指定される機能を実現する。
【００６８】
これらのコンピュータプログラム指令は、コンピュータまたはその他のプログラマブルなデータ処理デバィスにロードすることで、コンピュータまたはその他のプログラマブルなデバィスにおいて一連の操作ステップを実行してコンピュータにおいて実現される処理を生成することができる。これにより、コンピュータまたはその他のプログラマブルなデバィスにおいて実行される指令により、フローチャートにおける１つまたは複数のプロセス及び／またはブロック図における１つまたは複数のブロックに指定される機能を実現するためのステップを提供する。
【００６９】
代表的な構成として、コンピュータデバィスは、１つまたは複数の処理装置（ＣＰＵ）と、入力／出力インタフェースと、ネットワークインタフェースと、メモリとを含む。
【００７０】
メモリは、コンピュータ読み取り可能な媒体のうち非永続的メモリ、ランダムアクセスメモリ（ＲＡＭ）及び／または不揮発性メモリなどの形態、例えば、リードオンリーメモリ（ＲＯＭ）やフラッシュメモリ（ｆｌａｓｈ  ＲＡＭ）などを含んでもよい。メモリがコンピュータ読み取り可能な媒体の一例である。
【００７１】
コンピュータ読み取り可能な媒体は、あらゆる方法または技術により情報の記憶を実現可能な永続的もしくは非永続的媒体、携帯型もしくは非携帯型の媒体を含む。前記情報は、コンピュータ読み取り可能な指令、データ構造、プログラムのモジュールまたはその他のデータであってもよい。コンピュータの記憶媒体としては、相変化メモリ（ＰＲＡＭ）、スタティックランダムアクセスメモリ（ＳＲＡＭ）、ダイナミックランダムアクセスメモリ（ＤＲＡＭ）、その他のタイプのランダムアクセスメモリ（ＲＡＭ）、リードオンリーメモリ（ＲＯＭ）、電気的消去可能プログラマブルリードオンリーメモリ（ＥＥＰＲＯＭ）、フラッシュメモリやその他のメモリ技術、コンパクトディスクリードオンリーメモリ（ＣＤ−ＲＯＭ）、デジタル多機能ディスク（ＤＶＤ）やその他の光学的記憶手段、カセットテープ、テープ磁気ディスクメモリやその他の磁気記憶デバィス、またはその他のあらゆる非伝送媒体を含みこれらに限定されず、コンピュータデバィスのアクセス可能な情報の記憶に用いることができる。本明細書の規定によれば、コンピュータ読み取り可能な媒体は、非一過性の媒体（ｔｒａｎｓｉｔｏｒｙ  ｍｅｄｉａ）、例えば、変調されたデータ信号やキャリアなどを含まない。
【００７２】
なお、「含む」、またはこれに類する他の用語は、非除外的に包含することを意図することで、一連の要素を含むプロセス、方法、製品またはデバィスは、それらの要素だけでなく、明記しないその他の要素も含み、あるいはこのようなプロセス、方法、商品またはデバィスに固有の要素も含むものである。このため、特記がない限り、「一つの……を含む」という文言で限定された要素は、前記要素を含むプロセス、方法、製品またはデバィスにはさらに同一の要素が存在する場合を除外しない。
【００７３】
当業者にとって、本願発明の実施例は方法、システム、またはコンピュータプログラム製品として提供できることは自明である。このため、本願発明は、完全にハードウェアからなる実施例、完全にソフトウェアからなる実施例、またはソフトウェアとハードウェアとを組み合わせる実施例という形態を採用できる。なお、本願発明は、コンピュータにおいて動作可能なプログラムコードを含む１つまたは複数のコンピュータ用記憶媒体（磁気ディスク、ＣＤ−ＲＯＭ、光学的記憶装置などを含みこれらだけに限定されない）において実行されるコンピュータプログラム製品の形態を採用してもよい。
【００７４】
上記の内容は、本願発明の実施例に過ぎず、限定を加えるものではない。当業者はなおも、本願発明について様々な変更や変形などを加えることができる。本願発明の趣旨に矛盾しないあらゆる変更、均等な置き換え、改善などは、いずれも本願発明の特許請求の範囲に含まれるものとする。
【図１】
2019533844.tif 000003
【図２】
2019533844.tif 000004
【図３】
2019533844.tif 000005
【図４】
2019533844.tif 000006
【図５】
2019533844.tif 000007
【図６】
2019533844.tif 000008
【国際調査報告】
2019533844.tif 000009
2019533844.tif 000010
2019533844.tif 000011
2019533844.tif 000012